(57)【要約】      （修正有）【課題】開蓋防止装置付きであって、再使用する場合にも蓋による確実な密閉が維持される、再利用に好都合な食品用密閉容器を提供する。【解決手段】半硬質ないし軟質のプラスチックからなる身１と硬質プラスチックからなる蓋２とが真円に結合され、身の上端部に、その口部壁１３を内周壁とする張出周壁１５が底壁１７を介して併設される断面Ｕ字形であって、張出周壁の下端部に環状突条２３を突設し、蓋には、身の張出周壁の上端に受けられる周縁部よりも内側にその張出周壁と弾発力で密着し口部壁とは空隙を隔たる外周壁２７を垂設し、その内側に口部壁の内側と先端部どうしで密着する内部突条２９を垂設することにより空隙の上部に毛細管現象を絶つ空間が保有され、開蓋防止装置として、外周壁と張出周壁で相互に噛み合う掛止溝と掛止突条とを形成し、張出周壁の最も下にある掛止溝２１がその上部を帯巻片として切り取るための切取用として設けられている。【選択図】図１
2010265015.tif 000002
【特許請求の範囲】
【請求項１】
半硬質ないし軟質のプラスチックからなる身と、硬質プラスチックからなる蓋とが真円に結合され、その結合において、身の上端部に、その口部壁を内周壁とする張出周壁が底壁を介して併設される断面Ｕ字形であって、且つ張出周壁が比較的段突に高いチャンネル部を形成するとともに、張出周壁の下端部に底壁よりも上に位置して外周に沿って環状突条を突設し、蓋には、身の張出周壁の上端に受けられる周縁部よりも内側にその張出周壁と弾発力で密着し口部壁とは空隙を隔たる外周壁を垂設し、また、その内側には、口部壁の内側と先端部どうしで密着接合する内部突条を垂設することにより空隙の上部に毛細管現象を絶つ広空間が保有され、さらに、開蓋防止装置として、外周壁と張出周壁と接合面で相互に噛み合う掛止溝と掛止突条とを形成し、そのうち、張出周壁の最も下にある掛止溝が、前記環状突条よりもやゝ上においてその上部を帯巻片として切り取るための切取用掛止溝として設けられ、該切取用掛止溝が帯巻片の切り取りにより内側へ低く外周壁の案内斜面が残るように三角形の切り込み状に形成されていることを特徴とする食品用密閉容器。
【請求項２】
身において、開蓋防止装置が構成される上半部よりも下の下半部において、外周面を真円に沿った１６角以上４２角以下の多角形に形成したことを特徴とする請求項１記載の食品用密閉容器。
【請求項３】
蓋において、外周縁部の上面に、下面の外周壁が差し合う起立突条を突設し、その差し合わせにより蓋どうしを上下に重ね得るように構成したことを特徴とする請求項１または２記載の食品用密閉容器。
【発明の詳細な説明】
【技術分野】
【０００１】
この発明は、食品を詰めて販売する際に、商品の流通段階では未開封に保持される開蓋防止装置付きであるが、消費者では開封した後であっても完全密閉に保持できる身と蓋とからなるプラスチック製の食品用密閉容器に関する。
【背景技術】
【０００２】
この種の食品用密閉容器としては、本出願人において既に提案した（特許文献１〜４）。その一例（特許文献１）を図１０につて説明すると、軟質ないし半硬質プラスチックの身１０１と、硬質プラスチックの蓋１０２とからなり概略矩形の形状であって、身１０１の上端にＵ字形断面のチャンネル部１０６が外へ張り出すように口部壁１０３を内壁として設けられ、蓋１０２には、周縁部の下面にそのチャンネル部１０６に嵌入される外周壁１０７が垂設され、また、その内側には、外周壁１０７と共に口部壁１０３を挟む内部突条１０９が垂設されている。
【０００３】
開蓋防止装置については、チャンネル部１０６の外壁を摘み１１０で切欠溝１１１に沿って切り取り可能な帯巻片１１３となすものであるが、その帯巻片１１３に上下一対の掛止凹溝１１５，１１５を、外周壁１０７にはそれに嵌まる掛止突条をそれぞれ形成してあるので、流通段階では開蓋が不能であるが、帯巻片１１３を取り外すと開蓋が可能となるものであった。
【先行技術文献】
【特許文献】
【０００４】
【特許文献１】特開２００４−０８３０５４号公報
【特許文献２】特開２００３−１１２７５８号公報
【特許文献３】特開２００４−１６８４００号公報
【特許文献４】特開２００４−３３８７６４号公報
【発明の概要】
【発明が解決しようとする課題】
【０００５】
上記のような従来の食品用密閉容器によれば、食品を事故無く安全に密閉して販売するためのものであるが、消費者においては、開封してその食品については使い済みとなっても、造り置き等の料理を手頃に冷蔵庫で仕舞うために便利に再利用されることも多い。しかし、上記提示した図のような食品用密閉容器では、底が深く高さがあるために、一つの要望としては、造り置き程度の量の保存には少量でも足り、高さがあるために冷蔵庫に重ね置きできない場合があるため、円形で底が浅い手頃な大きさが要望される。
【０００６】
また、再利用においては、帯巻片１１３が取り除かれるのであるが、それでも、身の口部壁１０３に蓋の外周壁１０７と内部突条１０９とが硬質プラスチックの強力な弾性により挟むとともに、口部壁１０３に外周壁１０７がほゞ全長に深く接合することによる強い密着摩擦のために、密閉が保持されるけれども、蓋を開閉する操作に過剰な力を要した。
【０００７】
また、食品容器として大量生産、大量販売により一般の食品用密閉容器に劣らない良品として経済的に比較的負荷なく消費者に提供し得るが、殊に良品であると、消費者では長い使用で幾つも手持ちが多くなって、数で便利に使用することになる反面、蓋だけが紛失により数が不足する不具合も生じるという問題もあった。なお、この点については一般的な食品容器についても言えることである。
【０００８】
この発明は、上記のような実情に鑑みて、開蓋防止装置付きであって、消費者において家庭での再使用する場合にも、蓋による確実な密閉が維持されると同時に、蓋の開閉が容易であって、しかも、造り置きや残り物の食品を小分けして冷蔵庫に仕舞いやすいやすい等、再利用に好都合な食品用密閉容器を提供することを課題とした。
【課題を解決するための手段】
【０００９】
上記の課題を解決するために、この発明は、半硬質ないし軟質のプラスチックからなる身と、硬質プラスチックからなる蓋とが真円に結合され、その結合において、身の上端部に、その口部壁を内周壁とする張出周壁が底壁を介して併設される断面Ｕ字形であって、且つ張出周壁が比較的段突に高いチャンネル部を形成するとともに、張出周壁の下端部に底壁よりも上に位置して外周に沿って環状突条を突設し、蓋には、身の張出周壁の上端に受けられる周縁部よりも内側にその張出周壁と弾発力で密着し口部壁とは空隙を隔たる外周壁を垂設し、また、その内側には、口部壁の内側と先端部どうしで密着接合する内部突条を垂設することにより空隙の上部に毛細管現象を絶つ広空間が保有され、さらに、開蓋防止装置として、外周壁と張出周壁で接合面に相互に噛み合う掛止溝と掛止突条とを形成し、そのうち、張出周壁の最も下にある掛止溝が、前記環状突条よりもやゝ上においてその上部を帯巻片として切り取るための切取用掛止溝として設けられ、該切取用掛止溝が帯巻片の切り取りにより内側へ低く外周壁の案内斜面が残るように三角形の切り込み状に形成されていることを特徴とする食品用密閉容器を提供する。
【００１０】
食品用密閉容器を上記のように構成したから、身と蓋とが真円の結合であるがために、弾発力による密着および密閉を施しやすい。加えて、空隙よび広空間により毛細管現象による汁の漏出を防止できる。帯巻片を切り取っても、外周壁が張出周壁の残り下端部と密着するから、これは開封の後でも同じ程度である。しかも、残り下端部の上端に外周壁の下端の案内斜面が生じるので、残り下端部と外周壁との結合が密着が強固にしてあっても、蓋を締めに操作するのに支障がなく、また、口部壁と内部突条とが差し合う程度の密着形態が残ることもあって、家庭において蓋をたやすく開閉できる。
【発明の効果】
【００１１】
以上説明したように、この発明の食品用密閉容器によれば、開蓋防止装置付きであって、消費者において家庭での再使用する場合にも、蓋による確実な密閉が維持されると同時に、蓋の開閉が容易である。円形で浅い底の形状から、造り置きや残り物の食品を小分けして冷蔵庫に仕舞いやすいやすい等、再利用に好都合であるという優れた効果がある。
【００１２】
特に、請求項２によれば、多角形により回らないように確実に身を手で握って蓋を容易に開閉でき、請求項３によれば、家庭で数がたまっても、蓋を一箇所にまとめて仕舞いやすく、その紛失を防止できる。
【図面の簡単な説明】
【００１３】
【図１】この発明に係る一例を示す食品用密閉容器の平面図である。
【図２】同食品用密閉容器の正面図である。
【図３】図１のＡ−Ａ線矢視の断面図である。
【図４】図３のＢ部の拡大断面図である。
【図５】開封後における同部の拡大断面図である。
【図６】開封後に蓋を締める要領において密閉状態を説明する断面図である。
【図７】蓋を安定して積み重ね得る構造を重ねる要領において示す断面図である。
【図８】同食品用密閉容器の上から見た斜視図である。
【図９】同食品用密閉容器の下から見た斜視図である。
【図１０】従来例を説明する断面図である。
【発明を実施するための形態】
【００１４】
次に、この発明の実施形態を図面に基づいて説明するが、この明細書において、身が「浅底」とは、高さが直径の２分の１以下であることを意味するものとする。また、適合する「多角形」については、１６角よりも少ない多角形であると、上半部に真円を取りがたくなり、４２角よりも多いと下半部が真円に近くなるので、その両方の範囲内が適切である。
【実施例】
【００１５】
図面は一実施例を示したもので、その食品用密閉容器は、身１が半硬質のプラスチックで、蓋２が硬質のプラスチックでそれぞれ射出成形されたもので、共に透明であって真円且つ浅底形であるが、身１では周壁が下半身で下へもぐり込むように丸みが取られ、外周面で３６角形に形成され、横に直の極狭い側面としての多数のカット状面５，５，・・が角７を境界に連続するが、角数が多いために円形に近い形状である。
【００１６】
一方、上半身において蓋２が不正に開封されないようにする開蓋防止装置が構成され、同時に、流通段階を経て家庭において開蓋防止装置の機能を失っても水密性が維持され、かつ、開封の簡便性が得られる構造が付加される。
【００１７】
身１の上半身においては、前記した従来例のものと同様に、Ｕ字形断面においてチャンネル部１１が設けられが、周壁３の上端としての口部壁１３が張出周壁１５よりも格別に段差を付けて低く形成され、しかも、上端に行くにつれてやゝ細く薄肉に形成される。また、張出周壁１５は、底壁１７を介して外へ張り出し蓋２の受けとして高く形成され、内面に上下二段に掛止溝１９，２１が設けられ、下段の掛止溝２１が切取用として三角形の切り込み様に深く形成される。また、切取用掛止溝２１よりもやゝ下の位置において外周面に環状突条２３が突設され、鉢巻きように全周にわたっている。また、この環状突条２３が底壁１７よりも上に位置している。
【００１８】
蓋２は、これも真円であって、中央部を広く円形により段落させてなる凹所２５が設けられ、外周縁部下面には、前記した従来のものと同様に断面で長い外周壁２７と短い内部突条２９とを垂設してあるが、外周壁２７は身１の張出周壁１５にのみ接触し、内部突条２９は口部壁１３と先端どうしで接触し、外周壁２７が底壁１７に至るまで（環状突条２３よりも下まで）張出周壁１５と密着し、口部壁１３との間に空隙３５が存在する点が異なっている。なお、外周壁２７には張出周壁１５の掛止溝１９，２１と結合する掛止突条３１，３３が突設される。
【００１９】
開蓋防止装置は、外周壁１５を切取用掛止溝２１よりも上を帯巻片２５として摘み２８により切り取るようにしたもので、帯巻片２５の一部に環状が途切れる切口を設けるとともに、摘み２８を一端から突設して切口２９を跨がせて他端に点接続させてある。したがって、摘み２８を引き上げて点接続を千切り、摘み２８を捲り上げながら切取用掛止溝２１に沿って帯巻片２５を切り取ることができる。
【００２０】
蓋２を締めた状態（図４）では、身１の口部壁１３と蓋２の内部突条２９とが単に先端部どうしで差し合わせに密着接合している箇所と、身１の張出周壁１５の内面に外周壁２７が全面接合しこの接合面で掛止溝１９，２１と掛止突条３１，３３とが結合して密着接合している箇所とがあり、しかも、その両箇所の間に毛細管現象を絶つ殊に張出周壁１５と口部壁１３との高さ段差に基づく広空間３４が保有されているから、空隙３５の存在とも相まって、気密性、水密性が極めて安全に確保される。
【００２１】
帯巻片２５を切り取って開封した後であっても（図５）、口部壁１３と内部突条２９との密着接合はそのままであり、また、帯巻片２５を切り取った下には張出周壁１５の下端部１５ａが残り、空隙３５や広空間３４もそのまま残る。下端部１５ａについては、環状突条２３のバンド締め効果が期待されるので、外周壁２７をその弾性で強力に接合させることができる。また、強力に接合させるように弾性を保有させるために、外周壁２７を傾斜傾向（角度αは極端に示す）に突設してあっても、切取用掛止溝２１で帯巻片２５を切り取って掛止溝２１が残った面が案内斜面２２となるので、外周壁２７の差し込みが可能となり、容易に強い締めに蓋締めできる。
【符号の説明】
【００２２】
１  身
２  蓋
５  多角形の多数の側面としてのカット状面
７  多角形の角
１１  チャンネル部
１３  口部壁
１５  張出周壁
１５ａ  張出周壁の下端部
１７  底壁
１９，２１  掛止溝（２１  切取用掛止溝）
２２  案内斜面
２３  環状突条
２５  帯巻片
２７  外周壁
２９  内部突条
３１  ３３  掛止突条
３４  広空間
３５  空隙
３６  起立突条
【図１】
2010265015.tif 000003
【図２】
2010265015.tif 000004
【図３】
2010265015.tif 000005
【図４】
2010265015.tif 000006
【図５】
2010265015.tif 000007
【図６】
2010265015.tif 000008
【図７】
2010265015.tif 000009
【図８】
2010265015.tif 000010
【図９】
2010265015.tif 000011
【図１０】
2010265015.tif 000012